(57)【要約】【課題】一般的なねじ口瓶を使用して高度な気密性を長時間保つことができる高気密保存容器用キャップを提供する。【解決手段】ねじ口瓶Ｐのねじ部Ｐ１にねじ止めするキャップ本体１０を設ける。ねじ口瓶Ｐの胴体Ｐ２外周に装着するリング体２０を設ける。ねじ口瓶Ｐの胴体Ｐ２外周に嵌合するＯリング３０を設ける。キャップ本体１０に被覆部１２と雄ねじ部１３とを形成する。リング体２０に雌ねじ部２１と係止部２２を形成する。Ｏリング３０を介してキャップ本体１０とリング体２０とをねじ止めする。Ｏリング３０がキャップ本体１０と胴体Ｐ２外周との間隙を密封する。【選択図】  図１
2018203339.tif 000002
【特許請求の範囲】
【請求項１】
高気密保存容器として使用されるねじ口瓶のねじ部にねじ止めする固定ねじ部を備えたキャップ本体と、ねじ口瓶の胴体外周に装着されるリング体と、キャップ本体とリング体との間に配され、ねじ口瓶の胴体外周に密着するＯリングとを備えた高気密保存容器用キャップであって、
キャップ本体は、ねじ口瓶の胴体外周を覆う被覆部と、該被覆部の外周に設けられた雄ねじ部とを備え、
リング体は、キャップ本体の雄ねじ部にねじ止めする雌ねじ部と、該雌ねじ部のねじ止め時にＯリングの下面に係止して該Ｏリングをキャップ本体側に押圧する係止部とを備え、
Ｏリングを介してキャップ本体とリング体とをねじ止めすると、Ｏリングがキャップ本体と胴体外周との間隙を密封するように構成したことを特徴とする高気密保存容器用キャップ。
【請求項２】
前記リング体の前記係止部と前記Ｏリングとの間に円板形状の滑材性スリーブを配し、該滑材性スリーブを介して前記係止部が前記Ｏリングを前記キャップ本体側に押圧するように構成した請求項１記載の高気密保存容器用キャップ。
【請求項３】
前記キャップ本体の前記被覆部下端部に前記Ｏリングが圧着する圧着端部を形成すると共に、該圧着端部に傾斜面を形成し、該圧着端部に圧着した前記Ｏリングが傾斜面に沿って前記ねじ口瓶の胴体側に密着するように構成した請求項１記載の高気密保存容器用キャップ。
【請求項４】
前記キャップ本体の頂部に開口部を形成し、該開口部を施蓋する密封蓋体を設けた請求項１記載の高気密保存容器用キャップ。
【請求項５】
前記リング体に、前記ねじ口瓶の胴体外周を覆う胴体被覆部を延長形成した請求項１記載の高気密保存容器用キャップ。
【発明の詳細な説明】
【技術分野】
【０００１】
本発明は、一般のねじ口瓶を施蓋して高度な気密性を長時間保つことができる高気密保存容器用キャップに関するものである。
【背景技術】
【０００２】
薬剤の反応容器や保管容器としてバイアル瓶が用いられている。このバイアル瓶のフランジ状の口部にゴム栓を差し込んで閉止するバイアルキャップが特許文献１に記載されている。このキャップは、バイアル瓶の開口部をゴム栓が封止し、バイアル瓶のフランジ状の口部に装着したキャップでこのゴム栓が抜け出るのを防止するものである。
【０００３】
一方、細長い筒状の瓶口部を有する容器本体を密封する高気密性保存容器が特許文献２に記載されている。この容器は、筒状の瓶口部にリング状凹状溝を形成し、この瓶口部に外嵌するキャップの内側にＯリングを備え、このＯリングをリング状凹状溝に嵌合することで、キャップの密封性能を高める構成を備えたものである。
【先行技術文献】
【特許文献】
【０００４】
【特許文献１】特許第５９９７４５１号公報
【特許文献２】特許第５９６３１０６号公報
【発明の概要】
【発明が解決しようとする課題】
【０００５】
ところが、特許文献１に記載のバイアルキャップは、バイアル瓶の口部にゴム栓を差し込んで閉止する構成なので、バイアル瓶に保存している液体にゴム栓が直接触れる状態になっている。そのため、ゴム材を溶かす性質のある溶剤などの保存に適さず、保存可能な液体は液体の性質によって限定される不都合がある。
【０００６】
しかも、バイアル瓶は、ゴム栓を差し込み、アルミシールを被せ、ハンドクリッパーを用いて密封力を高める特殊な瓶であるから、一般的に使用されているねじ式のキャップで施蓋するねじ口瓶に使用することはできない構成であった。すなわち、高気密性保存容器において、ハンドクリッパーを用いて密封するバイアル瓶よりも、ねじ式のキャップで施蓋可能なねじ口瓶が広く使用されていることから、高気密性保存容器においてもこのねじ口瓶の使用が望ましいものであった。
【０００７】
一方、特許文献２に記載の高気密性保存容器は、ガラス製のねじ口瓶の瓶口部に、リング状凹状溝を形成する構成を採用している特殊な形状になっている。そのため、ガラス容器の製造が難しく、製造コストも高くなる不都合がある。
【０００８】
そこで、本発明は上述の課題を解消すべく創出されたもので、一般的なねじ口瓶を使用して高度な気密性を長時間保つことができる高気密保存容器用キャップの提供を目的とする。
【課題を解決するための手段】
【０００９】
上述の目的を達成すべく本発明における第１の手段は、高気密保存容器として使用されるねじ口瓶Ｐのねじ部Ｐ１にねじ止めする固定ねじ部１１を備えたキャップ本体１０と、ねじ口瓶Ｐの胴体Ｐ２外周に装着されるリング体２０と、キャップ本体１０とリング体２０との間に配され、ねじ口瓶Ｐの胴体Ｐ２外周に密着するＯリング３０とを備えた高気密保存容器用キャップであって、キャップ本体１０は、ねじ口瓶Ｐの胴体Ｐ２外周を覆う被覆部１２と、該被覆部１２の外周に設けられた雄ねじ部１３とを備え、リング体２０は、キャップ本体１０の雄ねじ部１３にねじ止めする雌ねじ部２１と、該雌ねじ部２１のねじ止め時にＯリング３０の下面に係止して該Ｏリング３０をキャップ本体１０側に押圧する係止部２２とを備え、Ｏリング３０を介してキャップ本体１０とリング体２０とをねじ止めすると、Ｏリング３０がキャップ本体１０と胴体Ｐ２外周との間隙を密封するように構成したことにある。
【００１０】
第２の手段は、前記リング体２０の前記係止部２２と前記Ｏリング３０との間に円板形状の滑材性スリーブ４０を配し、該滑材性スリーブ４０を介して前記係止部２２が前記Ｏリング３０を前記キャップ本体１０側に押圧するように構成したものである。
【００１１】
第３の手段は、前記キャップ本体１０の前記被覆部１２下端部に前記Ｏリング３０が圧着する圧着端部１４を形成すると共に、該圧着端部１４に傾斜面を形成し、該圧着端部１４に圧着した前記Ｏリング３０が傾斜面に沿って前記ねじ口瓶Ｐの胴体Ｐ２側に密着するように構成している。
【００１２】
第４の手段は、前記キャップ本体１０の頂部に開口部１５を形成し、該開口部１５を施蓋する密封蓋体５０を設けたものである。
【００１３】
第５の手段は、前記リング体２０に、前記ねじ口瓶Ｐの胴体Ｐ２外周を覆う胴体被覆部２３を延長形成している。
【発明の効果】
【００１４】
本発明の請求項１のごとく、Ｏリング３０を介してキャップ本体１０とリング体２０とをねじ止めすると、Ｏリング３０がキャップ本体１０と胴体Ｐ２外周との間隙を密封するように構成したことにより、一般的なねじ口瓶を使用して高度な気密性を長時間保つことができるものである。
【００１５】
請求項２のように、滑材性スリーブ４０を介して係止部２２がＯリング３０をキャップ本体１０側に押圧するように構成することで、キャップ本体１０と胴体Ｐ２外周との間隙内にＯリング３０を均一に圧着することができる。この結果、より高度な密封性能を得ることができる。
【００１６】
請求項３のごとく、圧着端部１４に圧着した前記Ｏリング３０が傾斜面に沿って前記ねじ口瓶Ｐの胴体Ｐ２側に密着するように構成しているので、弾性変形したＯリング３０は、特に胴体Ｐ２側に密着してより高い密封性能を得ることができる。
【００１７】
請求項４のように、キャップ本体１０の頂部に開口部１５を延長形成し、該開口部１５を施蓋する密封蓋体５０を設けることで、より広範囲な使用に適するキャップ本体１０を提供することができる。
【００１８】
請求項５のごとく、リング体２０に、前記ねじ口瓶Ｐの胴体Ｐ２外周を覆う胴体被覆部２３を形成すると、ねじ口瓶Ｐの胴体Ｐ２を保護することができると共に、底部が平らではない特殊なねじ口瓶Ｐの使用も可能になる。
【図面の簡単な説明】
【００１９】
【図１】本発明の一実施例を示す使用状態の断面図である。
【図２】本発明の一実施例を示す要部拡大断面図である。
【図３】本発明の一実施例を示す使用状態の分解斜視図である。
【図４】本発明の他の実施例を示す使用状態の分解斜視図である。
【図５】本発明の他の実施例を示す使用状態の断面図である。
【図６】本発明の更に他の実施例を示す使用状態の側面図である。
【図７】図６に示す矢視VII―VII線断面図である。
【図８】本発明の更に他の実施例を示す使用状態の要部切欠断面図である。
【発明を実施するための形態】
【００２０】
本発明キャップは、高気密保存容器として一般使用されているねじ口瓶Ｐを施蓋するキャップである。このねじ口瓶Ｐとして、例えば、液体用サンプル管などとして使用されるスクリュー管と称する高気密保存容器を高気密状態に密封することが化膿である。
【００２１】
本発明キャップの主要構成として、キャップ本体１０、リング体２０、Ｏリング３０を備えている。更に、必要により滑材性スリーブ４０を加えることもある。
【００２２】
キャップ本体１０は、ねじ口瓶Ｐのねじ部Ｐ１にねじ止めする固定ねじ部１１を備えた部材である（図１参照）。このキャップ本体１０には、更に、ねじ口瓶Ｐの胴体Ｐ２外周を覆う被覆部１２と、該被覆部１２の外周に設けられた雄ねじ部１３とを形成している（図２参照）。
【００２３】
リング体２０は、ねじ口瓶Ｐの胴体Ｐ２外周に装着されるリング状の部材である（図１参照）。このリング体２０には、キャップ本体１０の雄ねじ部１３にねじ止めする雌ねじ部２１と、該雌ねじ部２１のねじ止め時にＯリング３０の下面に係止して該Ｏリング３０をキャップ本体１０側に押圧する係止部２２とを形成している（図３参照）。
【００２４】
Ｏリング３０は、キャップ本体１０とリング体２０との間に配され、ねじ口瓶Ｐの胴体Ｐ２外周に嵌合して密着するものである。そして、このＯリング３０を介してキャップ本体１０とリング体２０とをねじ止めすると、Ｏリング３０がキャップ本体１０と胴体Ｐ２外周との間隙を密封するように構成している（図１参照）。
【００２５】
このとき、リング体２０の係止部２２と前記Ｏリング３０との間に円板形状の滑材性スリーブ４０を配することで、リング体２０を均一に締め付けることができる（図２参照）。すなわち、ポリテトラフルオロエチレンなどで形成した滑材性スリーブ４０を介してＯリング３０をキャップ本体１０側に押圧すると、リング体２０の係止部２２が滑材性スリーブ４０に沿って滑りながらＯリング３０を徐々に押圧することになる。この結果、Ｏリング３０の偏った弾性変形を防止することができる。
【００２６】
図示例では、キャップ本体１０の被覆部１２下端部に圧着端部１４を形成している（図２参照）。この圧着端部１４は、Ｏリング３０を圧着する部位で、この圧着端部１４には傾斜面が形成されている。そして、この圧着端部１４にＯリング３０を圧着すると、このＯリング３０は圧着端部１４の傾斜面に沿ってねじ口瓶Ｐの胴体Ｐ２側に向けて弾性変形し、胴体Ｐ２と被覆部１２との隙間に密着するように構成している。
【００２７】
この結果、ねじ口瓶Ｐのねじ部Ｐ１がキャップ本体１０の固定ねじ部１１によりねじ止めされた状態で、更に、胴体Ｐ２と被覆部１２との隙間をＯリング３０が密封することになるので、極めて高度な気密性を長時間保つことが可能になる。しかも、キャップ本体１０の雄ねじ部１３にねじ止めするリング体２０の緊締力は、ねじ口瓶Ｐのねじ部Ｐ１にねじ止めしているキャップ本体１０の固定ねじ部１１まで伝わるので、この固定ねじ部１１の固定力を高める作用も奏する。
【００２８】
図４乃至図８は他のキャップ本体１０を示している。このキャップ本体１０は、キャップ本体１０の頂部に開口部１５を形成し、該開口部１５を施蓋する密封蓋体５０を設けたものである（図４参照）。図示例では、開口部１５の内周面に雌ねじ部１６を形成し、この雌ねじ部１６にねじ止めする補助栓５１を密封蓋体５０に設けたものである（図５参照）。更に、この補助栓５１の上部に設けたＯリング５２と、補助栓５１の下端部に設けたＯリング５３とで、密封蓋体５０の密封力を高めている（図５参照）。
【００２９】
更に図６乃至８は、他のリング体２０を示したものである。このリング体２０は、ねじ口瓶Ｐの胴体Ｐ２外周を覆う胴体被覆部２３を形成したものである。図示例では、胴体被覆部２３に窓部２３Ａを形成し、内部の胴体Ｐ２を確認できるように設けている（図６参照）。
【００３０】
更に、胴体被覆部２３の下端部を、ねじ口瓶Ｐの胴体Ｐ２より下方まで伸びるよう形成している（図７参照）。このような胴体被覆部２３を形成することで、例えば、底部が平らでないねじ口瓶Ｐでも立設して収納することが可能になる（図８参照）。
【００３１】
尚、本発明キャップでは、キャップ本体１０、リング体２０、Ｏリング３０等の構成や形状、材質等は任意に選択できるものであり、図示例に限定されるものではなく、本発明の要旨を変更しない範囲での設計変更は自由である。また、ねじ口瓶Ｐも図示例に限られるものではなく、高気密保存容器として一般使用されているねじ口瓶の中から任意に選択することが可能である。
【符号の説明】
【００３２】
Ｐ  ねじ口瓶
Ｐ１  ねじ部
Ｐ２  胴体
１０  キャップ本体
１１  固定ねじ部
１２  被覆部
１３  雄ねじ部
１４  圧着端部
１５  開口部
１６  雌ねじ部
２０  リング体
２１  雌ねじ部
２２  係止部
２３  胴体被覆部
２３Ａ  窓部
３０  Ｏリング
４０  滑材性スリーブ
５０  密封蓋体
５１  補助栓
５２  Ｏリング
５３  Ｏリング
【図１】
2018203339.tif 000003
【図２】
2018203339.tif 000004
【図３】
2018203339.tif 000005
【図４】
2018203339.tif 000006
【図５】
2018203339.tif 000007
【図６】
2018203339.tif 000008
【図７】
2018203339.tif 000009
【図８】
2018203339.tif 000010